(57)【要約】  折りたたみ式の電子機器は、第１の筐体部（１０）と、第１の筐体部（１０）の上面に対して回動可能に取り付けられた第２の筐体部（１２）と、第１の筐体部（１０）の側面に開口する盗難防止用ロック穴（１４）とを含む。第２の筐体部（１２）から突出する固定部材（１６）が設けられる。固定部材（１６）は、第２の筐体部（１２）が第１の筐体部（１０）に対して折りたたまれた際に、盗難防止用ロック穴（１４）に整列する回動防止用ロック穴（１６ａ）を有する。
2008114371.tif 000002
【特許請求の範囲】
【請求項１】
第１の筐体部と、
該第１の筐体部の上面に対して回動可能に取り付けられた第２の筐体部と、
前記第１の筐体部の側面に開口する盗難防止用ロック穴と
を有する折りたたみ式の電子機器であって、
前記第２の筐体部から突出する固定部材が設けられ、
該固定部材は、前記第２の筐体部が前記第１の筐体部に対して折りたたまれた際に、前記盗難防止用ロック穴に整合する回動防止用ロック穴を有することを特徴とする電子機器。
【請求項２】
請求項１記載の電子機器であって、
前記固定部材は、前記第２の筐体部の側面に沿った部分から前記第１の筐体部の前記上面に向かって突出し、
前記第１の筐体部の前記上面に、前記固定部材を受容する固定部材挿入穴が設けられたことを特徴とする電子機器。
【請求項３】
請求項２記載の電子機器であって、
前記第２の筐体部に表示装置が組み込まれ、前記固定部材は該表示装置を支持するための板金製の側板に一体に形成されていることを特徴とする電子機器。
【請求項４】
請求項２記載の電子機器であって、
前記固定部材挿入穴は、前記第２の筐体の板金製のフレームに形成されていることを特徴とする電子機器。
【請求項５】
請求項１記載の電子機器であって、
前記固定部材は、前記第２の筐体部を前記第１の筐体部に回動可能に支持する回動支持部に沿った部分に設けられ、且つ前記第１の筐体部の内部に延在し、
前記固定部材は、前記第２の筐体部が前記第１の筐体部に対して折りたたまれた際に、前記第１の筐体部の内部で前記盗難防止用ロック穴に整列する回動防止用ロック穴を有することを特徴とする電子機器。
【請求項６】
請求項１記載の電子機器であって、
前記電子機器は携帯型であることを特徴とする電子機器。
【発明の詳細な説明】
【技術分野】
【０００１】
本発明は電子機器に係り、特に盗難防止装置が取り付け可能なノートブック型コンピュータのような折りたたみ式の電子機器に関する。
【背景技術】
【０００２】
ノートブック型コンピュータ等の携帯型電子機器は、可搬性を有する反面、盗難に遭う危険性を有している。そのため、多くのノートブック型コンピュータには盗難防止装置を取り付けることのできる機構が設けられている。【０００３】
盗難防止装置として盗難防止用ワイヤ装置（一般にセキュリティ・ワイヤ又はケンジントン・ロックと称される）が現在広く用いられている。ケンジントン・ロックとは、Kensington (ケンジントン) 社製の器具、および互換の各社器具を取り付けられるパソコン用の鍵とワイヤの組み合わせセットのことである。盗難防止用ワイヤ装置は、金属製のワイヤの一端を例えばデスクの脚に巻き付けておき、ワイヤの反対端を携帯型電子機器に取り付けることで、携帯型電子機器をデスクに繋ぎ止める装置である。そこで、現在市場に出回っている多くのノートブック型コンピュータには、盗難防止用ワイヤ装置のワイヤの一端を取り付けるための穴が設けられている。典型的な盗難防止用ワイヤ装置のワイヤの先端には、この穴に差し込んで抜けなくなるような固定装置が取り付けられている。【０００４】
図１は盗難防止用ワイヤ装置の一例の簡略図である。図１に示す盗難防止用ワイヤ装置は、固定装置本体１と、固定装置本体１から延在するワイヤ２とを有する。固定装置本体１からは二本のフック３が延在しており、この二本のフック３が閉じた状態でノートブック型コンピュータの側面に開口している盗難防止用穴に差し込まれる。固定装置本体１のボタン４を押すことで二本のフック３が穴の中で開き、二本のフック３は盗難防止用穴から抜けなくなる。そして、固定装置本体１に組み込まれた回転シリンダロックのダイヤル５を回すことで、二本のフック３が開いたままに固定される。これにより、固定装置本体１は当該ノートブック型コンピュータに接続される。固定装置本体１から延出しているワイヤ２の反対端をデスクや構造物に巻き付けておくことで、当該ノートブック型コンピュータはワイヤ２で繋がれた状態となる。すなわち、当該ノートブック型コンピュータは、ワイヤ２が届く範囲外には移動できない状態となり、当該ノートブック型コンピュータの盗難を防ぐことができる。【０００５】
ところが、上述の盗難防止ワイヤ装置によれば、携帯型電子機器自体の盗難防止は実現できるが、携帯型電子機器の記憶部に保存されているデータは保護されない。例えば、悪意を持つ者が、ワイヤで繋がれているノートブック型コンピュータを開いて起動し、操作してデータを閲覧したり、そのデータを記憶媒体に違法にコピーして盗むことができる。【０００６】
そこで、折りたたみ式ノートブック型コンピュータに盗難防止用ワイヤを取り付ける際に、当該ノートブック型コンピュータに設けられたキーを回すことで、ワイヤを接続しながら当該ノートブック型コンピュータが開かないように構成することが提案されている（例えば、特許文献１参照）。
【特許文献１】特開２０００−１３２２７１号公報
【発明の開示】
【発明が解決しようとする課題】
【０００７】
上述の特許文献１に記載のノートブック型コンピュータでは、ワイヤを繋ぐためにノートブック型コンピュータ本体にキーロック機構が設けられる。このキーロック機構を利用してキーを回すことでノートブック型コンピュータ本体内の回動防止機構を操作して、ノートブック型コンピュータの表示パネル部分が回動しないように、すなわち開かないようにする構成である。【０００８】
しかし、ノートブック型コンピュータの各々に特別にキーロック機構と回動防止機構を設けることは、ノートブック型コンピュータの部品点数が増加し、コストアップとなってしまう。【０００９】
本発明は上述の問題を解決するために提供されたものであり、従来の盗難防止ワイヤ装置を取り付けるだけで、折りたたまれた状態から開くことができないように構成された折りたたみ式の電子機器を提供することを目的とする。
【課題を解決するための手段】
【００１０】
本発明によれば、第１の筐体部と、該第１の筐体部の上面に対して回動可能に取り付けられた第２の筐体部と、該第１の筐体部の側面に開口する盗難防止用ロック穴とを有する折りたたみ式の携帯型電子機器であって、該第２の筐体部から突出する固定部材が設けられ、該固定部材は、該第２の筐体部が該第１の筐体部に対して折りたたまれた際に、該盗難防止用ロック穴に整列する回動防止用ロック穴を有することを特徴とする電子機器が提供される。【００１１】
上述の電子機器において、該記固定部材は、該第２の筐体部の側面に沿った部分から該第１の筐体部の前記上面に向かって突出し、該第１の筐体部の前記上面に、該固定部材を受容する固定部材挿入穴が設けられることが好ましい。また、該第２の筐体部に表示装置が組み込まれ、該固定部材は該表示装置を支持するための板金製の側板に一体に形成されていることとしてもよい。また、該固定部材挿入穴は、該第２の筐体の板金製のフレームに形成されていることとしてもよい。さらに、該固定部材は、該第２の筐体部を該第１の筐体部に回動可能に支持する回動支持部に沿った部分に設けられ、且つ該第１の筐体部の内部に延在し、該固定部材は、該第２の筐体部が該第１の筐体部に対して折りたたまれた際に、該第１の筐体部の内部で該盗難防止用ロック穴に整列する回動防止用ロック穴を有することとしてもよい。また、該電子機器は携帯型であってもよい。
【発明の効果】
【００１２】
本発明によれば、第２の筐体部に固定部材を設けるだけの簡単な構成で、折りたたみ式の電子機器に盗難防止装置を取り付けた際に、同時に第２の筐体部が開かないように固定することができる。したがって、盗難防止及び内部データの盗難防止の両方を達成することができる。しかも、内部データの盗難防止に関してユーザが特別な操作をする必要はなく、従来通りに盗難防止用装置を電子機器に取り付けるだけでよい。
【図面の簡単な説明】
【００１３】
【図１】盗難防止用ワイヤ装置の一例の簡略図である。
【図２】本発明の第１実施例による携帯型電子機器の一例である折りたたみ式ノートブック型コンピュータの側面図であり、表示装置部を開いた状態が示されている。
【図３】図２に示すノートブック型コンピュータが閉じられた状態を示す側面図である。
【図４】本発明の第２実施例による携帯型電子機器の一例である折りたたみ式ノートブック型コンピュータの斜視図であり、表示装置部を開いた状態が示されている。
【図５】図４に示すノートブック型コンピュータが閉じられた状態を示す側面図である。
【図６】図４に示すノートブック型コンピュータの樹脂カバーを外した状態を示す部分斜視図である。
【図７】図４に示すノートブック型コンピュータの樹脂カバーを外した状態を示す側面図である。
【図８】盗難防止用ロック穴が下側筐体の後側に設けられた場合の折りたたみ式ノートブック型コンピュータの側面図であり、表示装置部を開いた状態が示されている。
【図９】図８に示すノートブック型コンピュータが閉じられた状態を示す側面図である。
【符号の説明】
【００１４】
１０  下側筐体
１０ａ  上面
１２  上側筐体
１２ａ  表示画面
１４  盗難防止用ロック穴
１６  固定部材
１６ａ  回動防止用ロック穴
１８  スリット
２０  表示装置
２２  取付用板金
２４  ヒンジ
３０  金属筐体
【発明を実施するための最良の形態】
【００１５】
本発明の第１実施例による電子機器について、図２及び図３を参照しながら説明する。図２は本発明の第１実施例による携帯型電子機器の一例である折りたたみ式ノートブック型コンピュータの側面図であり、表示装置部を開いた状態が示されている。図３は図２に示すノートブック型コンピュータが閉じられた状態を示す側面図である。【００１６】
図２に示すように、本発明の第１実施例によるノートブック型コンピュータは、コンピュータの機能部品が収容された第１の筐体部である下側筐体１０と、下側筐体１０の一辺側で回動可能に支持された第２の筐体部である上側筐体１２とを有する。【００１７】
下側筐体１０には主にコンピュータの回路基板やハードディスクドライブ装置、ディスクドライブ装置等の記憶装置等が収容される。上側筐体１２には主にＬＣＤ装置等のディスプレイ装置が収容され、ディスプレイ装置の表示画面１２ａを提供する。このノートブック型コンピュータを使用する際には、下側筐体１０に対して上側筐体１２を回動させて図２に示すように開いた状態とし、下側筐体１０の上面１０ａに設けられた起動ボタン（スタートボタン）や各種キーを押してノートブック型コンピュータを起動し操作する。【００１８】
ノートブック型コンピュータの操作を終了した後、あるいはノートブック型コンピュータを持ち運ぶ際には、図３に示すように上側筐体１２を下側筐体１０に対して回動させて閉じる。この状態で、下側筐体１０の上面１０ａは上側筐体１２により覆われた状態となり、上面１０ａに設けられた起動ボタン（スタートボタン）や各種キーを押すことはできない。すなわち、ノートブック型コンピュータを閉じた状態では、当該ノートブック型コンピュータを起動することはできず、また、表示画面１２ａを見ることもできない。したがって、ノートブック型コンピュータを閉じた状態に維持することができれば、当該ノートブック型コンピュータを起動してデータを閲覧することはできず、データの盗難を防止することができる。【００１９】
本実施例によるノートブック型コンピュータは、盗難防止用ワイヤ装置を繋ぐための盗難防止用ロック穴１４を有している。盗難防止用ロック穴１４は従来の盗難防止用ワイヤ装置を取り付けるための穴であり、通常は下側筐体１０の側面に設けられる。この盗難防止用ロック穴１４に盗難防止用ワイヤ装置のフック３を差し込んで取り付けることで、盗難防止用ワイヤ装置はノートブック型コンピュータに繋がれるため、持ち運びができなくなる。【００２０】
本実施例では、上側筐体１２の側面の表示装置１２ａ側から固定部材１６が突出するように延在している。固定部材１６は回動防止用ロック穴１６ａを有している。上側筐体１２が閉じられたときに、固定部材１６は下側筐体１０の側面の一部を覆うような大きさであり、回動防止用ロック穴１６ａが盗難防止用ロック穴１４に整合するような位置に設けられている。すなわち、上側筐体１２が閉じられた状態で、回動防止用ロック穴１６ａは盗難防止用ロック穴１４に整列する。したがって、盗難防止用ワイヤ装置のフック３は、回動防止用ロック穴１６ａを貫通して盗難防止用ロック穴１４に差し込むことができ、盗難防止用ロック穴１４に接続することができる。【００２１】
上述のように、盗難防止用ワイヤ装置のフック３を回動防止用ロック穴１６ａを貫通して盗難防止用ロック穴１４に差し込むことにより、固定部材１６は盗難防止用ワイヤ装置のフックによりその位置に固定されることとなる。したがって、固定部材１６が設けられた上側筐体１２を開くことはできなくなる。これにより、盗難防止用ワイヤ装置をノートブック型コンピュータに取り付けるだけで、上側筐体１２を開くことはできなくなり、且つ持ち運ぶこともできなくなる。【００２２】
なお、固定部材１６を設ける位置は、下側筐体１０に設けられた盗難防止用ロック穴１４の位置に対応することとなるが、無理矢理こじ開けようとした場合に盗難防止用ワイヤ装置のフック３に加わる力を考慮すると、上側筐体１２の回動の支点から遠いほうが好ましい。すなわち、盗難防止用ロック穴１４及び固定部材１６を、下側筐体１０及び上側筐体１２の先端側に設けることが好ましい。【００２３】
以上のように、本実施例によれば、上側筐体１２の側面から突出する固定部材１６を設けるだけの簡単な構成で、折りたたみ式の携帯用電子機器の盗難防止及び内部データの盗難防止の両方を達成することができる。しかも、内部データの盗難防止に関して特別な操作をする必要はなく、従来通りに盗難防止用ワイヤ装置のフック３を盗難防止用ロック穴１４に差し込んでロックするだけでよい。このように本実施例によれば、大きなコストアップとなるような機構を組み込むことなく、固定部材１６のような簡単な構成を追加するだけで、内部データの盗難防止を達成することができる。加えて、ユーザに対して面倒なデータ盗難防止操作を行わせる必要もなく、操作性は従来と同じとすることができる。【００２４】
次に、本発明の第２実施例について図４乃至図７を参照しながら説明する。【００２５】
図４は本発明の第２実施例による携帯型電子機器の一例である折りたたみ式ノートブック型コンピュータの斜視図であり、表示装置部を開いた状態が示されている。図５は図４に示すノートブック型コンピュータが閉じられた状態を示す側面図である。【００２６】
図４に示すように、本実施例では、第２の筐体部である上側筐体１２の側面ではなく、表示画面（ＬＣＤパネル）１２ａが設けられた面において、上側筐体１２の側面の近傍から固定部材１６が突出するように形成されている。したがって、第１の筐体部である下側筐体１０の上面１０ａには、固定部材１６に対応する位置に固定部材１６を挿入可能な開口としてスリット１８が設けられている。なお、下側筐体１０及び上側筐体１２は各々樹脂製のカバーによりほぼ全面が覆われており、固定部材１６は上側筐体１２の樹脂カバーを貫通して突出している。【００２７】
ノートブック型コンピュータが閉じられた状態では、図５に示すように、固定部材１６は下側筐体１０の樹脂カバーに設けられたスリット１８を貫通して下側筐体１０の内部に入り込み、回動防止用ロック穴１６ａが盗難防止用ロック穴１４に整合する。【００２８】
図６は図４に示すノートブック型コンピュータの樹脂カバーを外した状態を示す部分斜視図である。また、図７はノートブック型コンピュータの樹脂カバーを外した状態を示す側面図である。【００２９】
図６に示すように、本実施例では、上側筐体１２は、ＬＣＤのような表示装置２０を取り付けるための取付用板金２２を樹脂カバーの内側に有している。取付用板金２２は、回動支持部であるヒンジ２４に固定されており、下側筐体１０に対して回動可能に支持されている。取付用板金２２は、例えば厚みが０．８ｍｍの鉄板のような金属板により形成されており、上側筐体１２を支持するのに十分な強度を有する。取付用板金２２は、従来のこの種のノートブック型コンピュータに通常用いられている強度部材である。【００３０】
本実施例では、従来からある取付用板金２２を利用し、固定部材１６をこの取付用板金２２に一体的に成形している。すなわち、固定用部材１６は取付用板金２２の一部として成形されている。取付用板金２２は十分な強度を有する金属板であり、固定部材１６も十分な強度を有することとなる。【００３１】
一方、下側筐体１０も、樹脂カバーの内部に板金よりなる金属筐体３０を有している。金属筐体３０も例えば厚みが０．８ｍｍの鉄板のような金属板により形成されており、内部の回路基板や部品を保護するために十分な強度を有する。盗難防止用ロック穴１４は、この金属筐体３０に形成された開口である。もちろん、金属筐体３０の外側を覆う樹脂カバーにも同じような開口が形成されており、樹脂カバーの開口と金属筐体３０の開口とで、盗難防止用ロック穴１４が形成される。【００３２】
本実施例では、上側筐体１２が閉じられた状態で、固定部材１６が金属筐体３０の側板３０ａの内側に入り込み、回動防止用ロック穴１６ａは盗難防止用ロック穴１４に整列する。したがって、盗難防止用ワイヤ装置のフック３を、盗難防止用ロック穴１４及び回動防止用ロック穴１６ａを貫通して差し込むことができ、盗難防止用ロック穴１４に接続することができる。【００３３】
上述のように、盗難防止用ワイヤ装置のフック３を盗難防止用ロック穴１４及び回動防止用ロック穴１６ａを貫通して差し込むことにより、固定部材１６は盗難防止用ワイヤ装置のフック３によりその位置に固定されることとなる。したがって、固定部材１６が設けられた上側筐体１２を開くことはできなくなる。これにより、盗難防止用ワイヤ装置をノートブック型コンピュータに取り付けるだけで、上側筐体１２を開くことはできなくなり、且つ持ち運ぶこともできなくなる。【００３４】
以上のように、本実施例によれば、上側筐体１２内の取付用板金２２から突出する固定部材１６を設け、且つ下側筐体１０の樹脂カバーにスリット１８を設けるだけの簡単な構成で、折りたたみ式の携帯用電子機器の盗難防止及び内部データの盗難防止の両方を達成することができる。しかも、内部データの盗難防止に関して特別な操作をする必要はなく、従来通りに盗難防止用ワイヤ装置のフック３を盗難防止用ロック穴１４に差し込んでロックするだけでよい。このように本実施例によれば、大きなコストアップとなるような機構を組み込むことなく、固定部材１６のような簡単な構成を追加するだけで、内部データの盗難防止を達成することができる。加えて、ユーザに対して面倒なデータ盗難防止操作を行わせる必要もなく、操作性は従来と同じとすることができる。【００３５】
以上の実施例では、盗難防止用ロック穴１４が下側筐体１０の左右の側面のいずれか（図では表示画面に向かって右面）に設けられているが、盗難防止用ロック穴１４が下側筐体１０の後ろ側の側面に設けられていてもよい。この場合、固定部材１６は、図８に示すように例えばヒンジ２４の一部で上側筐体１２と共に回動する部分に設けられ、図９に示すように上側筐体１２が閉じられた状態で、下側筐体１０の金属製の筐体の後側の側壁の内面に沿って延在するように構成される。この時に、下側筐体１０の後ろ側の側面に設けられた盗難防止用ロック穴１４に、固定部材１６の回動防止用ロック穴１６ａが整列し、盗難防止用ワイヤ装置のフック３を盗難防止用ロック穴１４及び回動防止用ロック穴１６ａに差し込むことができる。【００３６】
以上のように、固定部材１６をヒンジに沿った部分で下側筐体１０の内部に延在するように設けることとしてもよい。この場合、固定部材１６の回動防止用ロック穴１６ａは、上側筐体１２が閉じられた状態で、下側筐体１０の内部で盗難防止用ロック穴１４に整列する。【００３７】
以上のような構成によっても、折りたたみ式の携帯用電子機器の盗難防止及び内部データの盗難防止の両方を達成することができる。しかも、内部データの盗難防止に関して特別な操作をする必要はなく、従来通りに盗難防止用ワイヤ装置のフック３を盗難防止用ロック穴１４に差し込んでロックするだけでよい。【００３８】
なお、上述の実施例では、携帯型電子機器に本発明を適用しているが、携帯型に限られず、他の電子機器にも適用することができる。
【産業上の利用可能性】
【００３９】
本発明は、盗難防止用穴が設けられた折りたたみ式の電子機器に適用可能である。
【図１】
2008114371.tif 000003
【図２】
2008114371.tif 000004
【図３】
2008114371.tif 000005
【図４】
2008114371.tif 000006
【図５】
2008114371.tif 000007
【図６】
2008114371.tif 000008
【図７】
2008114371.tif 000009
【図８】
2008114371.tif 000010
【図９】
2008114371.tif 000011
【国際調査報告】
2008114371.tif 000012
2008114371.tif 000013
2008114371.tif 000014
2008114371.tif 000015
2008114371.tif 000016
2008114371.tif 000017